(57)【要約】【課題】簡易な構成で容易に起立できる包装袋を提供する。【解決手段】厚さ方向ｔに重ね合わせられた一対の外装シート３，４を有する袋本体２と、前記袋本体における少なくとも一方の外装シート４の表面４ａに沿うように設けられ、前記袋本体内２００に収納される被収納物１０の厚みに伴って厚さ方向に形状変化する前記外装シートに応じて、厚さ方向に突出し前記袋本体の起立を補助する起立補助シート５と、を備えている。【選択図】図１
2019172316.tif 000002
【特許請求の範囲】
【請求項１】
厚さ方向に重ね合わせられた一対の外装シートを有する袋本体と、
前記袋本体における少なくとも一方の外装シートの表面に沿うように設けられ、前記袋本体内に収納される被収納物の厚みに伴って厚さ方向に形状変化する前記外装シートに応じて、厚さ方向に突出し前記袋本体の起立を補助する起立補助シートと、を備えていることを特徴とする包装袋。
【請求項２】
請求項１に記載の包装袋において、
前記起立補助シートは、前記一対の外装シートのうちの一方のみに設けられていることを特徴とする包装袋。
【請求項３】
請求項１または請求項２に記載の包装袋において、
前記起立補助シートは、前記外装シートの表面に固着される固定端と、前記外装シートの前記形状変化に伴って突出量が変化する自由端とを有し、前記自由端が前記外装シートの表面から離間されて前記袋本体の起立を補助する構造とされていることを特徴とする包装袋。
【請求項４】
請求項３に記載の包装袋において、
前記起立補助シートは、前記袋本体の両側端縁部のうちの一方に沿うように設けられ前記固定端となる固定辺部と、前記袋本体の底端縁部に沿うように設けられ前記自由端となる下辺部とを有していることを特徴とする包装袋。
【請求項５】
請求項３に記載の包装袋において、
前記起立補助シートは、前記袋本体の略中央部位及び前記袋本体の底端縁部側を覆うように設けられ前記固定端となる固定片と、該固定片の中央部位から前記外装シートの厚さ方向に突出し前記自由端となる衝立片とを有していることを特徴とする包装袋。
【請求項６】
請求項１〜請求項５のいずれか１項に記載の包装袋において、
前記袋本体は、前記一対の外装シートの底端部同士が接合されてなる底シール部を備えていることを特徴とする包装袋。
【請求項７】
請求項１〜請求項６のいずれか１項に記載の包装袋において、
前記外装シートは、形状保持性を有した保形層を備えていることを特徴とする包装袋。
【請求項８】
請求項７に記載の包装袋において、
前記外装シートには、前記形状変化を補助する折曲補助線が設けられていることを特徴とする包装袋。
【請求項９】
請求項６または請求項７に記載の包装袋において、
前記袋本体の前記サイドシール部の両方または一方には、使用者の記憶の補助となる備忘録部が設けられていることを特徴する包装袋。
【請求項１０】
請求項９において、
前記備忘録部は、前記サイドシール部の長手方向に沿って複数に分割され、折り曲げもしくは切除可能な記録タブとされていることを特徴とする包装袋。
【発明の詳細な説明】
【技術分野】
【０００１】
本発明は、包装袋に関する。
【背景技術】
【０００２】
従来、包装袋としては平袋やサイドガゼット袋、底にマチのあるスタンディング袋等、用途に応じて使用される様々な形状、構造のものが知られているが、このうち自立性のない平袋状の包装袋に関し、陳列する際等に起立させたいという要請がある。
例えば下記特許文献１には、平袋の下方を平袋の厚さ方向の両サイドから支持するように構成された一対のフラップ付き外装体片を備えたものが開示されている。
【先行技術文献】
【特許文献】
【０００３】
【特許文献１】実開昭５８−１７９１２０号公報
【発明の概要】
【発明が解決しようとする課題】
【０００４】
しかしながら、上記特許文献１に記載のものは、平袋を起立させる際に、厚さ方向の前後に配置される一対のフラップを折目に沿って折り曲げた後、一対のフラップの自由端を平袋の厚さ方向にそれぞれ拡げる必要がある。また上記特許文献１に記載のものは、平袋の底側を挟んで両面に跨って外装体片が設けられているため、商品名や成分表示等の印刷領域が狭くなってしまう上、外装体片の厚みが出て嵩張ってしまう。
【０００５】
本発明は、前記実情に鑑みてなされたものであり、簡易な構成で容易に起立できる包装袋を提供することを目的としている。
【課題を解決するための手段】
【０００６】
上記目的を達成するために、本発明に係る包装袋は、厚さ方向に重ね合わせられた一対の外装シートを有する袋本体と、前記袋本体における少なくとも一方の前記外装シートの表面に沿うように設けられ、前記袋本体内に収納される被収納物１０の厚みに伴って厚さ方向に形状変化する前記外装シートに応じて、厚さ方向に突出し前記袋本体の起立を補助する起立補助シートと、を備えていることを特徴とする。
本発明において、前記起立補助シートは、前記一対の外装シートのうちの一方のみに設けられているものとしてもよい。
また本発明において、前記起立補助シートは、前記外装シートの表面に固着される固定端と、前記外装シートの前記形状変化に伴って突出量が変化する自由端とを有し、前記自由端が前記外装シートの表面から離間されて前記袋本体の起立を補助する構造としてもよい。この場合、前記起立補助シートは、前記袋本体の両側端縁部のうちの一方に沿うように設けられ前記固定端となる固定辺部と、前記袋本体の底端縁部に沿うように設けられ前記自由端となる下辺部とを有しているものとしてもよい。またこの場合、前記起立補助シートは、前記袋本体の略中央部位及び前記袋本体の底端縁部側を覆うように設けられ前記固定端となる固定片と、該固定片の中央部位から前記外装シートの厚さ方向に突出し前記自由端となる衝立片とを有しているものとしてもよい。そして前記袋本体は、前記一対の外装シートの底端部同士が接合されて底シール部を備えている。
【０００７】
さらに本発明において、前記外装シートは、形状保持性を有した保形層を備えているものとしてもよい。この場合、前記外装シートには、前記形状変化を補助する折曲補助線が設けられているものとしてもよい。
そして本発明において、前記袋本体の前記サイドシール部の両方または一方には、使用者の記憶の補助となる備忘録部が設けられているようにしてもよい。この場合、前記備忘録部は、前記サイドシール部の長手方向に沿って複数に分割され、折り曲げもしくは切除可能な記録タブとされているようにしてもよい。
【発明の効果】
【０００８】
本発明に係る包装袋は、上述のような構成としたことで、簡易な構成で容易に起立させることできる。
【図面の簡単な説明】
【０００９】
【図１】本発明の第１実施形態に係る包装袋の一例を模式的に示した背面図である。
【図２】（ａ）は図１に示すＸ−Ｘ線矢視に対応させた概略断面図であり、（ｂ）は（ａ）に示す袋本体内に被収納物が収納されていない状態を示す概略断面図である。
【図３】図２（ａ）に示すＹ−Ｙ線矢視に対応させた概略断面図である。
【図４】（ａ）〜（ｃ）は、包装袋の起立補助シートの変形例を例示した模式図である。
【図５】本発明の第２実施形態に係る包装袋の一例を模式的に示した図である。（ａ）は該包装袋の背面図であり、（ｂ）は該包装袋を起立させた状態を示す斜視図であり、該包装袋の起立補助シートが設けられた背面側を示している。
【図６】本発明の第３実施形態に係る包装袋の一例を模式的に示した図である。（ａ）は該包装袋の正面図であり、（ｂ）は該包装袋を起立させた状態を示す斜視図であり、該包装袋の起立補助シートが設けられた背面側を示している。
【発明を実施するための形態】
【００１０】
以下に本発明の実施の形態について、図面に基づいて説明する。なお、一部の図では、他図に付している符号の一部を省略している。また実施形態において参照する図面は、模式的に記載されたものであり、図面に描画された構成要素の寸法比率に限定されるものではない。さらに本明細書において「略＊＊」との記載は、略中央を例に挙げて説明すると、完全に中央はもとより、実質的に中央と認められる場合を含む。そして本明細書では、平パウチに適用した例について説明するが、封止部のない上方開口の平袋やサイドガゼット袋等、底にマチがなく自立性のないあらゆるタイプの袋に適用可能である。また本明細書では、包装袋１を平坦な面上に起立させたときに、その鉛直方向（図１における長手方向）を「上下方向」として鉛直下方側を「下」、鉛直上方側を「上」とし、包装袋１の幅方向（図１における左右方向）を「横方向」とし、包装袋１の前後方向を「厚さ方向ｔ」として説明する。さらに包装袋１に収納される被収納物１０は、個体の例を示しているが、これに限定されず、液体、粉体、粒体、ゲル状体のいずれでもよい。本明細書では包装袋１の上シール部２３部分を切り取ることにより開口する平パウチを例にあげて説明しているが、包装袋１の開口は、他の箇所、例えば、上側隅部や、背面等に設けられてもよい。また包装袋１に、プラスチック等からなる口栓（所謂スパウト）を取り付け、当該口栓を介して被収納物１０を取り出せるものとしてもよい。
【００１１】
本実施形態に係る包装袋１（１Ａ，１Ｂ）は、厚さ方向ｔに重ね合わせられた一対の外装シート３，４を有する袋本体２と、袋本体２における少なくとも一方の外装シート４の表面４ａに沿うように設けられ、袋本体内２００に収納される被収納物１０の厚みに伴って厚さ方向ｔに形状変化する外装シート３，４に応じて、厚さ方向ｔに突出し袋本体２の起立を補助する起立補助シート５と、を備えている。
以下、詳述する。
【００１２】
＜第１実施形態＞
【００１３】
まず図１〜図３を参照しながら、第１実施形態に係る包装袋１について説明する。
包装袋１は、厚さ方向ｔに重ね合わされた一対の外装シート３，４を有した袋本体２と、袋本体２の起立を補助する起立補助シート５とを備えている。一対の外装シート３，４は、それぞれ同形同大とされ、横方向よりも上下方向に長く延びた正面視において略矩形形状を有する。袋本体２は、一対の外装シート３，４の少なくとも一つの周端部同士が接合されて周縁シール部が設けられて作製され、その周縁シール部は袋本体２の上辺、底辺、両側辺のいずれに設けられてもよい。よって例えば底辺が折り曲げ形成されたような袋本体２を除外するものではない。
【００１４】
以下では、一対の外装シート３，４のうち、袋本体２の正面を構成するシートが正面シート３であり、該正面シート３に対向配置され背面を構成するシートが背面シート４である例を説明する。また以下では、正面シート３と背面シート４とのそれぞれの周端部同士が、互いに接合されたマチのない平パウチを構成した袋本体２の例を説明する。よって、図例の袋本体２は、上シール部２３と、サイドシール部２１，２２と、底シール部２０とを有している。具体的には、図３に示すように正面シート３と背面シート４の上端部３３，４３同士が接合されて、上シール部２３を構成する。図２（ａ）に示すように正面シート３と背面シート４の側端部３１，４１，３２，４２同士が、接合されて、サイドシール部２１，２２を構成する。そして図３に示すように正面シート３と背面シート４の底端部３０，４０同士が互いに接合され、底シール部２０を構成する。
【００１５】
袋本体２の上シール部２３部分は、使用者によって刃物や手等で切り取れるように構成されており、この上シール部２３部分を切り取ることで、上方が開口し袋本体内２００と外部空間とが連通でき、被収納物１０の出し入れができる。この上シール部２３部分の切り取り容易にするために、袋本体２のサイドシール部２１，２２には、開封するための切り取りの開始端となり、略Ｖ字状に切欠き形成されたノッチ７，７が設けられている。ノッチ７は、封止部８よりも袋本体２の上の位置に横方向に並んで二つ形成されている。このいずれか一方のノッチ７から横方向に沿って正面シート３及び背面シート４を切断することにより、図１に一点鎖線で示す取り出し口形成予定部７０に、被収納物１０の取り出し口が形成される。なお、鋏等の刃物を用いて開封する場合には、ノッチ７は無くてもよい。
【００１６】
封止部８は、互いに係合する一対の係合部（凸部８０ａ、凹部８１ａ）で袋本体内２００を繰り返し密封可能になるよう構成されている。封止部８の構成は特に限定されないが、例えば図３に示すように、一般的にジッパー、チャック等と呼称される２枚の係合部付きシート８０，８１から構成されたものとしてもよい。正面シート３の内面に係合部付きシート８１が、背面シート４の内面に係合部付きシート８０がそれぞれ接合されている。係合部付きシート８０は凸部８０ａを有する凸部付きシートであり、係合部付きシート８１は凹部８１ａを有する凹部付きシートである。封止部８は、凸部８０ａが凹部８１ａに嵌合することで、取り出し口を閉じて袋本体内２００の空間を再封する。
【００１７】
袋本体２を構成する正面シート３及び背面シート４の材質は、特に限定されないが、例えば樹脂フィルムから構成されたものとしてもよい。正面シート３及び背面シート４を構成する樹脂フィルムは、被収納物１０に応じた耐衝撃性、耐磨耗性、及び耐熱性など、包装体としての基本的な性能を備えていることが望ましい。正面シート３及び背面シート４の厚みは、例えば１０μｍ〜５００μｍであり、好ましくは２０μｍ〜３００μｍである。また、上述の各シール部２３，２２，２１，２０はヒートシールにより形成されることが好ましいため、正面シート３及び背面シート４にはヒートシール性も要求される。正面シート３及び背面シート４を構成するシート材としては、ベースフィルム層と、ヒートシール性を付与するシーラント層とを有する複層シートが好ましく、高いガスバリア性が要求される場合には、ベースフィルム層とシーラント層との間にガスバリア層を設けることが好適である。これら各層の積層は、慣用のラミネート法、例えば共押出法、接着剤を用いたドライラミネーション法、熱接着性層を挟んで熱により接着させる熱ラミネーション法等により行うことができる。なお、ヒートシールにより形成されるシール部は、各シート材のシーラント層を対向させた状態で当該シート材を熱圧着して形成される。
【００１８】
ベースフィルム層を構成するフィルムとしては、ポリエステル（ポリエチレンテレフタレート（ＰＥＴ）、ポリエチレンナフタレ−ト（ＰＥＮ）、ポリブチレンテレフタレート（ＰＢＴ）、ポリカーボネート（ＰＣ）など）、ポリオレフィン（ポリエチレン（ＰＥ）、ポリプロピレン（ＰＰ）など）、ポリアミド（ナイロン−６、ナイロン−６６など）、ポリアクリロニトリル（ＰＡＮ）、ポリイミド（ＰＩ）、ポリ塩化ビニル（ＰＶＣ）、ポリ塩化ビニリデン（ＰＶＤＣ）、ポリメチルメタクリレート（ＰＭＭＡ）、ポリエーテルスルフォン（ＰＥＳ）及びエチレン−ビニルアルコール共重合体（ＥＶＯＨ）等から構成される一層又は二層以上の延伸又未延伸フィルムが例示できる。ベースフィルム層の厚みは、例えば１０μｍ〜２００μｍであり、好ましくは１０μｍ〜１００μｍである。
【００１９】
シーラント層を構成するフィルムとしては、低密度ポリエチレン（ＬＤＰＥ）、直鎖状低密度ポリエチレン（ＬＬＤＰＥ）、エチレン−プロピレン共重合体（ＥＰ）、未延伸ポリプロピレン（ＣＰＰ）、二軸延伸ナイロン（ＯＮ）、エチレン−オレフィン共重合体、エチレン−アクリル酸共重合体（ＥＡＡ）、エチレン−メタクリル酸共重合体（ＥＭＡＡ）及びエチレン−酢酸ビニル共重合体（ＥＶＡ）等から構成される一層又は二層以上の延伸又は未延伸フィルムが例示できる。シーラント層の厚みは、例えば２０μｍ〜２００μｍであり、好ましくは３０μｍ〜１８０μｍである。
【００２０】
ガスバリア層としては、アルミニウム等の金属薄膜、又は塩化ビニリデン（ＰＶＤＣ）、エチレン−ビニルアルコール共重合体（ＥＶＯＨ）などの樹脂フィルム、或いは任意の合成樹脂フィルム（例えば、ベースフィルム層であってもよい）に、アルミニウム、酸化アルミニウムやシリカ等の無機酸化物などを蒸着（又はスパッタリング）したフィルムが例示できる。ガスバリア層の厚みは、例えば０．１μｍ〜２０μｍであり、好ましくは０．２μｍ〜１０μｍである。
【００２１】
正面シート３及び背面シート４には、商品名やデザイン（絵柄）、メーカー名、原材料・使用上の注意事項等の商品説明、背景色などを表示するためのデザイン印刷層（図示せず）を設けてもよい。デザイン印刷層は、例えばグラビア印刷等の公知の方法によりベースフィルム層の内側に形成してもよい。
【００２２】
ここで正面シート３及び背面シート４は、形状保持性を有した保形層を備えたものとしてもよい。保形層は、上述の例の樹脂フィルムのベースフィルム層を構成するフィルムに替えて設けてもよいし、ベースフィルム層を薄層にして、最外層もしくは中間層、最内層に設けてもよい。このように正面シート３及び背面シート４として、形状保持性を有した保形層を備えたものとすれば、袋本体２に保形性を付与できる。この場合、袋本体２に保形性があるので、軟質なものと比べて起立補助シート５の補助により、袋本体２を起立させやすいものとすることができる。また一旦、被収納物１０を収容すると形状が保持されるので、取り出し口を開口させやすく被収納物１０の出し入れがし易い。
なお、ここで形状保持性を有するとは、完全に形状を保持することを要求しているのではなく、例えば折り目を入れた際に時間を置かず、直ちに復元しない程度のことをいい、その折れ目も完璧な折れ目でなくてもよい程度も含む。
【００２３】
保形層としては、例えば、紙を取材とする紙層、アルミニウム箔等の金属層が挙げられる。保形層を紙層とした場合、紙使用率が５１％以上とできれば、使用後は紙ゴミとして廃棄できるため、環境上も好ましい。保形層として紙層に用いられる材料としては、木材パルプからなる公知の紙材の他、天然植物繊維からなる紙材や様々な種類の原料からなる紙質系材料を用いることが可能である。紙層の材質や厚み等は目的に応じて適宜選択され、例えば耐熱性、耐水性を付与する加工等が施されたものとしてもよく、紙材のみで構成された袋本体２を除外するものではない。
なお、このように保形層を有した場合でも、正面シート３及び背面シート４として、もちろん耐衝撃性、耐磨耗性、及び耐熱性など、包装体としての基本的な性能を備えていることが望ましい。
【００２４】
上述のように保形層を備えている場合、正面シート３及び背面シート４の形状変化を補助する折曲補助線３ｂ，４ｂ（図１〜図３等参照）を設けるようにしてもよい。折曲補助線３ｂ，４ｂは正面シート３及び背面シート４の内面側、外面側のいずれか、もしくは両方にいれるようにしてもよい。このように折曲補助線３ｂ，４ｂを設けたものとすれば、被収納物１０を収納した際に厚さ方向ｔへの形状変化を容易にし、所望する位置で膨らませ易くすることができる。
なお、図２（ａ）及び図２（ｂ）では折曲補助線３ｂ，４ｂの形成位置と被収納物１０との関係をわかりやすくするため、形成位置を矢印で矢示している。
【００２５】
上述のような袋本体２は、袋本体２にマチがないため、自立させることは難しいが、袋本体２の起立を補助する起立補助シート５によって、図３に示すように起立させることができる。よって、起立補助シート５の形状、材質及び厚み等は、起立を補助するための一定の保形性は求められるものの、特に限定されない。具体的には、例えば、合成紙、厚紙、段ボール等の紙材や合成樹脂シート等が挙げられ、その厚みは、通常０．１ｍｍ〜５ｍｍである。図１〜図３に示す起立補助シート５は、紙材からなり、略直角三角形状をなし、片側が固定されたフラップ状で構成されている。起立補助シート５は、袋本体２における後ろ面となる背面シート４の表面４ａに沿うように設けられており、起立補助シート５は、背面シート４の表面４ａに固着される固定端５ａと、背面シート４の形状変化に伴って突出量が変化する自由端５ｂとを有している。起立補助シート５は、固定辺部５０と、下辺部５１とを有している。固定辺部５０は、袋本体２の両側端縁部２ｂ，２ｃのうちの一方に沿うように設けられている。図１の例では側端縁部２ｃに沿って略平行に固定端５ａとなる固定辺部５０が設けられており、底シール部２０に沿って略平行に自由端５ｂとなる下辺部５１が設けられている。
【００２６】
固定辺部５０は、背面シート４の表面４ａに公知の接着剤等によって貼着されている。接着剤は背面シート４の材質等に応じて適宜選択され、図中、５ａは固定辺部５０を固定するための接着領域を示している。固定端５ａの位置は、図例に限定されないが、サイドシール部２２と折曲補助線４ｂの間の領域Ｄ（図２（ａ）参照）の範囲内とされる。領域Ｄの範囲は、袋本体２の幅方向一方側から１／２の領域、好ましくは１／３の領域であり、言い換えると、被収納物１０の収納による形状変化で最も膨らむ箇所より若干離間した側端部４２側の位置であることを要する。起立補助シート５は、図２（ｂ）に示すように袋本体２内に被収納物１０が収納されていない状態では、背面シート４の表面４ａに沿って突出しない状態であるので、起立補助シート５の先側５２も背面シート４の表面４ａに沿って閉じられている。一方、図２（ａ）に示すように袋本体２内に被収納物１０が収納されると、被収納物１０の厚みに伴って背面シート４及び正面シート３が厚さ方向ｔに形状変化する。これに応じて、起立補助シート５が厚さ方向ｔに突出し、自由端５ｂとなる下辺部５１が背面シート４の表面４ａから離間されて袋本体２の起立を補助する。このとき下辺部５１と袋本体２の底端縁部２ａとが、図３に示すように設置面１００に当接した状態となり、袋本体２は起立補助シート５の支持にされる状態で起立させることができる。
【００２７】
以上の構成によれば、起立補助シート５を折り曲げたり、手で拡げたり、組み立てたりする必要がなく、背面シート４の形状変化に応じて起立補助シート５が自ずと厚さ方向ｔに突出させることができるので、簡易な構成で容易に平袋状の袋本体２を起立させることができる。また以上の構成によれば、袋本体２が正面シート３及び背面シート４の底端部３０，４０同士が接合されてなる底シール部２０を備えているので、例えば谷折りされた底部を備えたものと比べて設置面１００に当接する底端縁部２ａを硬く構成できる。よって、硬さのある底シール部２０と硬さのある起立補助シート５とで袋本体２の起立性を向上させることができる。
【００２８】
起立補助シート５は、後記する図４（ａ）のように一対をなす正面シート３及び背面シート４の双方に設けてもよいが、上述のように背面シート４のみに設けられてもよいし、正面シート３のみに設けてもよい。片面にのみ設ける場合、正面シート３及び背面シート４の双方に設けるよりも簡略化でき、また背面シート４にのみ設けた場合は、正面シート３の表面３ａ全面を後記する図６（ａ）に示すような印刷領域などとすることができ、商品名や成分表示等の印刷領域が狭くなってしまうことがない。
【００２９】
＜変形例＞
次に図４を参照しながら、袋本体２に設けられる起立補助シート５等の変形例について説明する。
上述の例（図１〜図３に示す例）と共通する箇所には共通の符号を付し、共通する点の説明は極力省略する。また図４では、説明のため、被収納物１０の図示は省略しているが、いずれの場合も収納されている点は上述の例と同様である。
【００３０】
まず図４（ａ）は、起立補助シート５が一対をなす正面シート３及び背面シート４の双方に設けられた例である。これによれば、起立補助シート５が、正面シート３及び背面シート４のそれぞれに設けられているので、安定して袋本体２の起立を補助することができる。
【００３１】
図４（ｂ）は、起立補助シート５が、正面視において略台形状をなし、背面シート４の表面４ａに複数枚設けられている例である。２枚の起立補助シート５，５は、それぞれの固定辺部５０，５０が袋本体２の両側端縁部２ｂ，２ｃの双方にそれぞれが略平行に沿うように設けられている。固定端５ａの固定領域は、領域Ｄの範囲とされる点は上述の例と同様である。
このように起立補助シート５が略台形状であっても、下辺部５１，５１が、自由端５ｂとなり、設置面に当接する点は上述の例と同様である。これによれば、背面シート４側に複数枚の起立補助シート５が設けられているので、安定して袋本体２の起立を補助することができるとともに、正面シート３側には起立補助シート５が設けられていないので、正面シート３の表面３ａ全面を印刷領域などとディスプレイに適した構成にできる。また複数の起立補助シート５，５を設けた構成であっても、起立補助シート５，５同士が重なり合わないように構成されているので、包装袋１として嵩張りをおさえることができ、輸送コストの低減、収納のコンパクト化等を図ることができる。
【００３２】
図４（ｃ）は、袋本体２が幅広な横長矩形状の場合を示した例であり、図４（ｂ）のさらなる変形例ともいえる。この場合、一枚の起立補助シート５も横長矩形状としてもよいが、安定した補助を望む場合は、図例のように２枚の起立補助シート５，５のそれぞれの固定辺部５０，５０が袋本体２の両側端縁部２ｂ，２ｃの双方にそれぞれが略平行に沿うように設けるようにしてよい。
以上のように、起立補助シート５の構成は袋本体２の形状や用途に応じて種々形状のものを設けることができ、下辺部５１の大きく確保できる形状とすれば、安定して袋本体２の起立を補助することができる。
【００３３】
＜第２実施形態＞
続いて図５を参照しながら、第２実施形態の包装袋１Ａについて説明する。この実施形態において、第１実施形態と共通する箇所には共通の符号を付し、共通する点の説明は極力省略する。
第２実施形態は、袋本体２の構成は第１実施形態と共通するが、起立補助シート５がフラップ状でなく、写真立等の衝立に似た衝立状である点で異なる。なお、衝立状であっても、起立補助シート５が、背面シート４の表面４ａに固着される固定端５ａと、背面シート４の形状変化に伴って突出量が変化する自由端５ｂとを有し、自由端５ｂが背面シート４の表面４ａから離間されて袋本体２の起立を補助する構造とされている点は同様である。
【００３４】
起立補助シート５は、袋本体２の略中央部位及び底端縁部２ａ側を覆うように設けられ固定端５ａとなる固定片５３と、該固定片５３の中央部位から背面シート４の厚さ方向ｔに端部５４ａが突出して形成され自由端５ｂとなる衝立片５４とを有している。図５（ａ）及び図５（ｂ）に示す起立補助シート５は、紙材からなり、正面視において略三角形状をなし、少なくとも三角形状のそれぞれ頂点部位近傍の領域には、接着剤で表面４ａに貼着される接着領域５３ａとされる。固定端５ａの位置は、図例に限定されないが、背面シート４の略中央部位を支持するため、図例のように略中央部位に固着されていることが望ましい。また衝立片５４は、固定片５３の底端部４０に沿って設けられる辺の略中央部位から、被収納物１０の厚みに伴って形状変化する背面シート４に応じて、厚さ方向ｔに突出量が変化するように構成されている。
【００３５】
固定片５３の底端部４０へ向かって延びる両斜辺の途中には、袋本体２の折り曲げをガイドするガイドノッチ５３ｂが略Ｖ字形状に切り込み形成されている。またこのガイドノッチ５３ｂの形成位置に被るように折曲補助線４ｂが形成されている。これにより、袋本体２は、図５（ｂ）に示すように、底シール部２０に至る手前で被収納物１０の重みで若干座屈するように折り曲げ易くなる。そしてこの際の背面シート４の形状変化に応じて、起立補助シート５の衝立片５４が厚さ方向ｔに突出し、自由端５ｂとなる先側５５が背面シート４の表面４ａから離間されて袋本体２の起立を補助する。このとき衝立片５４の先側５５と若干折り曲がって傾斜している袋本体２の底端縁部２ａとが、設置面（不図示）に当接した状態となり、袋本体２は起立補助シート５の支持にされる状態で起立させることができる。
【００３６】
以上の構成によれば、第１実施形態の包装袋１と同様に、起立補助シート５を折り曲げたり、手で拡げたり、組み立てたりする必要がなく、背面シート４の形状変化に応じて起立補助シート５が自ずと厚さ方向ｔに突出させることができるので、簡易な構成で容易に平袋状の袋本体２を起立させることができる。また以上の構成によれば、袋本体２が正面シート３及び背面シート４の底端部３０，４０同士が接合されてなる底シール部２０を備えているので、第１実施形態と同様に例えば谷折りされた底部の場合と比べて設置面に当接する底端縁部２ａを硬く構成できる。よって、硬さのある底シール部２０と硬さのある起立補助シート５とで袋本体２の起立性を向上させることができる。
なお、接着領域５３ａは図例の構成に限定されるものではなく、左右もしくは上側だけでもよい。
【００３７】
＜第３実施形態＞
次に図６を参照しながら、第３実施形態の包装袋１Ｂについて説明する。この実施形態において、第１実施形態と共通する箇所には共通の符号を付し、共通する点の説明は極力省略する。
第３実施形態は、起立補助シート５を背面シート４の表面４ａに設けた点は第１実施形態の図１〜図３の例と共通するが、袋本体２のサイドシール部２２の一方に使用者の記憶の補助となる備忘録部６が設けられている点、正面シート３の表面３ａが備忘録部６の利用を促す印刷面とされている点で異なる。
なお、起立補助シート５の構成は、図例に限定されず、図４（ｂ）、図４（ｃ）及び第２実施形態に示すような起立補助シート５であってもよい。また図６（ａ）及び図６（ｂ）では被収納物１０の図示を省略する。
【００３８】
本実施形態の袋本体２の一方のサイドシール部２２は、他方のサイドシール部２１よりも幅広に形成され、このサイドシール部２２に使用者の記憶の補助となる備忘録部６が設けられている。備忘録部６には、あらゆる情報を持たせることができ、予め印刷されたものであってもよいし、使用者側で書きこんで使用するようにしてもよい。例えば目標としていることを行ったか否かの確認に使用してもよい。
【００３９】
図６には、薬の包装袋１Ｂとして使用する例を示しており、この場合は備忘録部６に予め印刷が施されている。
正面シート３の表面３ａには、図６（ａ）に示すように「○○錠剤  備忘チェックカレンダー」「飲んだ曜日は折ってチェックしましょう。」との印刷があり、サイドシール部２２に設けられた備忘録部６は、サイドシール部２２の長手方向に沿って複数に分割され、折り曲げ可能な記録タブ６０とされている。記録タブ６０は、７つに分割され、記録タブ６０の基部となる部位には、折り曲げ容易とするための罫線６ａがサイドシール部２２の長手方向に沿って形成されている。記録タブ６０のそれぞれには月〜日までの曜日が印刷されている。
【００４０】
よってこの構成によれば、図６（ｂ）に示すように水曜日に薬を服用したら、「水」の部位を折り曲げれば、水曜日に薬を服用したことの確認をすることができる。また袋本体２が形状保持性を有した保形層を備えたものとすれば、記録タブ６０を罫線６ａに沿って容易に折り曲げることができる。さらに、このように予め記録タブ６０が印刷されていれば、ペン等の筆記具を使わずに目視によって確認でき、薬の飲み忘れを効果的に防ぐことができる。
ここで袋本体２を構成する正面シート３及び背面シート４の材質は他の実施形態と同様に特に限定されないが、記録タブ６０を図６（ｂ）のように折り曲げることを考慮すると、形状保持性を有した保形層を有したものが望ましい。また上記のように使用者側で表面３ａや記録タブ６０に自ら書きこめる構成とする場合は、保形層として最外層に紙層を採用することが望ましい。また、本実施形態では、備忘録部６がサイドシール部２２に設けられた例について説明しているが、特に限定されず、底シール部２０や上シール部２３に設けられていてもよく、備忘録部６がこれらの一部に構成されていてもよい。
【００４１】
正面シート３の表面３ａに印刷される文言は図例に限定されず、例えば、「１４錠入り、２錠×７日分」等と内容量と服用錠数と服用日数が一目でわかるような印刷を施してもよい。これによれば、包装袋１に収納されている収納されている被収納物の内容を一目で把握できる。備忘録部６及び記録タブ６０の構成、形状も図例に限定されず、左右のサイドシール部２１，２２の幅を変えてわかりやすく設けられていればよい。よって記録タブ６０に印刷される内容も曜日に限定されるものではない。例えば、月１回服用する薬用には１〜１２という数字でもよいし、日に三回のみ薬用であれば、１〜３回という数字でもよい。また「朝」「昼」「晩」という表示や「食間」と表示された記録タブ６０であってもよい。また記録タブ６０を折り曲げて備忘チェックできる構成を説明したが、これに限定されず、切除するものとしてもよい。その場合、罫線６ａとした箇所は切り取りやすいようにハーフカットもしくは切り込み加工されたミシン目等の切断補助線としてもよい。このように記録タブ６０を切除する構成とした場合、記録タブ６０をもぎ取ってしまうことで、より一層使用者の記憶の補助とする機能を強めることができる。
【００４２】
上記実施形態では、包装袋１、袋本体２、起立補助シート５等の構成、形状は図例に限定されず、例えば袋本体２に、吊り下げ用の孔が形成されたものであってもよい。また袋本体２の大きさも特に限定されず、本実施形態によれば、比較的小型の平袋状包装袋に好適であり、表面３ａ，４ａには、宣伝広告や商品名等が印刷されたものとしてもよい。上述のように包装袋２を起立させることができるので、店舗等のディスプレイに活用してもよい。さらに起立補助シート５は使用者によって、不要であれば、容易に除去できるような剥がしやすい接着剤を用いて起立補助シート５を固定するようにしてもよい。この場合、起立補助シート５を除去してしまえば、平袋状の袋本体２のみになるので、コンパクトに収納・携行等することができる。
【符号の説明】
【００４３】
１（１Ａ，１Ｂ）                包装袋
１０                            被収納物
２                              袋本体
２ａ                            底端縁部
２ｂ，２ｃ                      側端縁部
２００                          袋本体内
２０                            底シール部
２１，２２                      サイドシール部
３，４                          外装シート（正面シート、背面シート）
３ａ，４ａ                      表面
３ｂ，４ｂ                      折曲補助線
３０，４０                      底端部
３１，３２，３３，３４          側端部
５                              起立補助シート
５ａ                            固定端
５ｂ                            自由端
５０                            固定辺部
５１                            下片部
５３                            固定片
５４                            衝立片
６                              備忘録部
６０                            記録タブ
【図１】
2019172316.tif 000003
【図２】
2019172316.tif 000004
【図３】
2019172316.tif 000005
【図４】
2019172316.tif 000006
【図５】
2019172316.tif 000007
【図６】
2019172316.tif 000008